(57)【要約】【課題】  ＰＭＶの評価に係わる着衣量を適切に設定することが困難であったこと。【解決手段】  実施形態によれば、快適性指標計算装置は、着衣情報取得部と、天候情報取得部と、補正情報特定部と、着衣量特定部と、快適性指標特定部とを具備する。着衣情報取得部は、人の着衣に関する着衣情報をセンサから取得する。天候情報取得部は、温度、湿度、および雲量の少なくとも１つを含む天候情報を取得する。補正情報特定部は、快適性指標の着衣量に関わる補正情報を天候情報から特定する。着衣量特定部は、着衣情報取得部で取得した着衣情報について補正情報で補正して着衣量を特定する。快適性指標特定部は、着衣量特定部で特定した着衣量に基づいて快適性指標を特定する。【選択図】  図３
2019194508.tif 000002
【特許請求の範囲】
【請求項１】
人の着衣に関する着衣情報をセンサから取得する着衣情報取得部と、
温度、湿度、および雲量の少なくとも１つを含む天候情報を取得する天候情報取得部と、
快適性指標の着衣量に関わる補正情報を前記天候情報から特定する補正情報特定部と、
前記着衣情報取得部で取得した着衣情報について前記補正情報で補正して前記着衣量を特定する着衣量特定部と、
前記着衣量特定部で特定した着衣量に基づいて前記快適性指標を特定する快適性指標特定部とを具備する、快適性指標計算装置。
【請求項２】
空調スペースを複数に区分けしたエリアごとのエリア属性情報を記憶する記憶部をさらに具備し、
前記着衣量特定部は、前記取得した着衣情報を前記補正情報および前記エリア属性情報で補正して、前記エリアごとに前記着衣量を特定する、請求項１に記載の快適性指標計算装置。
【請求項３】
前記着衣情報取得部は、空調スペースを撮像して得られた画像データから前記着衣情報を検知可能な画像センサから前記着衣情報を取得する、請求項１に記載の快適性指標計算装置。
【請求項４】
温度、湿度、および雲量の少なくとも１つを含む天候情報を取得する天候情報取得部と、
快適性指標の着衣量の基準値を前記天候情報に基づいて特定する基準着衣量特定部と、
空調スペースにおけるシーンを特徴づけるパラメータ情報を取得するパラメータ情報取得部と、
前記基準値を前記パラメータ情報に基づいて補正して前記着衣量を特定する着衣量特定部と、
前記着衣量特定部で特定した着衣量に基づいて前記快適性指標を特定する快適性指標特定部とを具備する、快適性指標計算装置。
【請求項５】
前記パラメータ情報は、空調スペースを複数に区分けしたエリアごとの活動量、出入口との距離、および滞在時間の少なくとも一つを含み、
前記着衣量特定部は、前記基準値を前記エリアごとに補正して、前記エリアごとに前記着衣量を特定する、請求項４に記載の快適性指標計算装置。
【請求項６】
前記パラメータ情報取得部は、空調スペースを撮像して得られた画像データから前記活動量または前記滞在時間を検知可能な画像センサから、前記活動量または前記滞在時間の少なくともいずれか一方を取得する、請求項５に記載の快適性指標計算装置。
【請求項７】
前記パラメータ情報取得部は、加速度センサを備えるデバイスから前記活動量または前記滞在時間の少なくともいずれか一方を取得する、請求項５に記載の快適性指標計算装置。
【請求項８】
前記パラメータ情報取得部は、前記エリアに設置される設備の識別情報に基づいて前記出入口との距離を取得する、請求項５に記載の快適性指標計算装置。
【請求項９】
前記快適性指標特定部により特定された快適性指標に基づいて空調機器への制御指示値を特定する制御指示値特定部と、
前記制御指示値を前記空調機器に出力する制御指示部とをさらに具備する、請求項１乃至８のいずれか１項に記載の快適性指標計算装置。
【請求項１０】
前記制御指示部は、上位システムからの許可が有る場合に、前記制御指示値を前記空調機器に出力する、請求項９に記載の快適性指標計算装置。
【請求項１１】
請求項１乃至１０のいずれか１項に記載の快適性指標計算装置を動作させるためのプログラムであって、コンピュータを上記各部として動作させるためのプログラム。
【請求項１２】
コンピュータにより実行される快適性指標計算方法であって、
前記コンピュータが、人の着衣に関する着衣情報をセンサから取得する過程と、
前記コンピュータが、温度、湿度、および雲量の少なくとも１つを含む天候情報を取得する過程と、
前記コンピュータが、快適性指標の着衣量に関わる補正情報を前記天候情報から特定する過程と、
前記コンピュータが、前記取得された着衣情報について前記補正情報で補正して前記着衣量を特定する過程と、
前記コンピュータが、前記特定された着衣量に基づいて前記快適性指標を特定する過程とを具備する、快適性指標計算方法。
【請求項１３】
コンピュータにより実行される快適性指標計算方法であって、
前記コンピュータが、温度、湿度、および雲量の少なくとも１つを含む天候情報を取得する過程と、
前記コンピュータが、快適性指標の着衣量の基準値を前記天候情報に基づいて特定する過程と、
前記コンピュータが、空調スペースにおけるシーンを特徴づけるパラメータ情報を取得する過程と、
前記コンピュータが、前記基準値を前記パラメータ情報に基づいて補正して前記着衣量を特定する過程と、
前記コンピュータが、前記特定された着衣量に基づいて前記快適性指標を特定する過程とを具備する、快適性指標計算方法。
【発明の詳細な説明】
【技術分野】
【０００１】
本発明の実施形態は、快適性指標計算装置、プログラムおよび快適性指標計算方法に関する。
【背景技術】
【０００２】
よく経験されるように、オフィスの天井の空調機で室内温度を調節しても、在室者にとって快適な室内環境を作り出すことは難しい。そこで、快適性を表す客観的な指標に基づいて、空調をインテリジェントに制御することが考えられている。この種の技術は、例えばＢＥＭＳ（Building Energy Management System）の一つの機能として実用化されている。
【０００３】
ＰＭＶ（Predicted Mean Vote）は、快適さを表す指標として、ＩＳＯ（国際標準化機構）規格に規定されている。ＰＭＶは、空気温度、相対湿度、平均輻射温度、気流速度、着衣量、および活動量（人体の内部発熱量）を要素として計算（あるいは特定）される。
【先行技術文献】
【特許文献】
【０００４】
【特許文献１】特開平６−１８０７３号公報
【特許文献２】特開平６−１１７８３６号公報
【特許文献３】特開平６−１８０１３９号公報
【特許文献４】特開２０１７−４４５１５号公報
【特許文献５】特開２０１４−５５７４２号公報
【特許文献６】特開平１０−１４１７３６号公報
【特許文献７】特開２００７−３０９６号公報
【発明の概要】
【発明が解決しようとする課題】
【０００５】
既存の技術において、着衣量は、例えば地域ごと、季節（春夏秋冬）ごとの平年の気象データを元にした平均的な値が用いられていた。しかしながら同じ季節でも日付が進むにつれて着衣量は変わるし、異常気象や、平年とは異なる気象変動も生じ得ることは考慮されない。また、同じ建物内であっても場所やエリアが変われば、在室者のおかれる状況（situation ：例えば、外から入ったばかり／ずっとビルの奥にいる…等）は変わるし、そのことによる着衣量の違いも考慮されていない。このため既存の技術では着衣量の誤差が大きく、十分な快適さを得られていない可能性がある。
【０００６】
そこで、目的は、着衣量を適切に設定できるようにして、快適性をさらに高めた快適性指標計算装置、プログラムおよび快適性指標計算方法を提供することにある。
【課題を解決するための手段】
【０００７】
実施形態によれば、快適性指標計算装置は、着衣情報取得部と、天候情報取得部と、補正情報特定部と、着衣量特定部と、快適性指標特定部とを具備する。着衣情報取得部は、人の着衣に関する着衣情報をセンサから取得する。天候情報取得部は、温度、湿度、および雲量の少なくとも１つを含む天候情報を取得する。補正情報特定部は、快適性指標の着衣量に関わる補正情報を天候情報から特定する。着衣量特定部は、着衣情報取得部で取得した着衣情報について補正情報で補正して着衣量を特定する。快適性指標特定部は、着衣量特定部で特定した着衣量に基づいて快適性指標を特定する。
【図面の簡単な説明】
【０００８】
【図１】図１は、室内空間の一例を示す図である。
【図２】図２は、オフィスビルにおけるネットワークの一例を示す図である。
【図３】図３は、第１の実施形態に係わる端末装置２００の一例を示す機能ブロック図である。
【図４】図４は、第１の実施形態に係わる端末装置２００の処理手順の一例を示すフローチャートである。
【図５】図５は、図３に示される機能ブロック間の関係の一例を示す図である。
【図６】図６は、湿度、温度と着衣量補正情報との関係の一例を示す図である。
【図７】図７は、雲量と着衣量補正情報との関係の一例を示す図である。
【図８】図８は、エリア属性の一例を示す図である。
【図９】図９は、第２の実施形態に係わる端末装置２００の一例を示す機能ブロック図である。
【図１０】図１０は、第２の実施形態に係わる端末装置２００の処理手順の一例を示すフローチャートである。
【図１１】図１１は、第２の実施形態に係わる端末装置２００の処理手順の一例を示すフローチャートである。
【図１２】図１２は、図９に示される機能ブロック間の関係の一例を示す図である。
【図１３】図１３は、湿度、温度と基準着衣量の補正値との関係の一例を示す図である。
【図１４】図１４は、雲量と着衣量起算値の補正値との関係の一例を示す図である。
【図１５】図１５は、想定されるシーンの分類の一例を示す図である。
【図１６】図１６は、シーンおよび滞在時間ごとの補正情報の一例を示す図である。
【発明を実施するための形態】
【０００９】
＜構成＞
図１は、室内空間の一例を示す図である。図１に示されるように、オフィスビルにおける各フロアの例えば天井に、照明機器１、空調機器２の吹き出し口、および画像センサ３が配設される。
【００１０】
図２は、オフィスビルにおけるネットワークの一例を示す図である。図２において、ビル監視装置５、データベース３００、表示装置１１、および、ゲートウェイ（ＧＷ）７１，７２が、ビル内ネットワーク５００を介して互いに通信可能に接続される。表示装置１１、およびビル監視装置５は、ビル内ネットワーク５００を介してデータベース３００にアクセスすることができる。ビル内ネットワーク５００の通信プロトコルとしては、例えば、インテリジェントビル用ネットワークの通信規格であるＢＡＣｎｅｔ（登録商標）やＬＯＮＷＯＲＫＳ（登録商標）、ＫＮＸ（登録商標）、ＤＡＬＩ、ＺｉｇＢｅｅ（登録商標）、ＥＣＨＯＮＥＴ Ｌｉｔｅ（登録商標）を適用することができる。
【００１１】
ビル内ネットワーク５００は、インターネットなどの外部ネットワークに接続される。これにより、空調制御や快適性指標計算に必要となる各種の気象データを、外部ネットワークに接続された気象サーバ４００から取得することができる。気象サーバ４００は気象庁や地方自治体のサーバ、あるいは気象サービスポータルサイトなどであってよい。
【００１２】
ビルの室内の照明機器１、空調機器２、および画像センサ３は信号線Ｌを介して、例えばデイジーチェーンまたはカスケード状に接続される。このうち例えば画像センサ３が、ゲートウェイ７１を介してビル内ネットワーク５００に接続される。これにより信号線Ｌを介して接続された画像センサ３、照明機器１、および空調機器２をビル内ネットワーク５００に接続することが可能である。画像センサ３で取得された画像データ、環境情報、および人物情報は、ビル内ネットワーク５００を経由してデータベース３００に伝送され、記録される。  
空調機器２は、制御指示値を与えることで、空調温度、空調湿度、風量などを制御することができる。
【００１３】
無線アクセスポイント８が、ハブ（Ｈｕｂ）６を介してＬＡＮ（Local Area Network）１０経由でゲートウェイ７２に接続される。これにより、無線通信機能を備える端末装置２００等が、ゲートウェイ７２経由でビル内ネットワーク５００に接続されることができる。つまり端末装置２００は、ビル内ネットワーク５００を介してデータベース３００にアクセスすることができる。端末装置２００は、画像データ、環境情報、および人物情報等のデータを、データベース３００から取得することができる。
【００１４】
データベース３００は、例えばＲＤＢ（Relational Database）型、あるいはキー／バリュー（Key/Value）型のデータベースであり、その実体は、例えばコンピュータのＨＤＤ（ハードディスクドライブ）に記録されたディジタルデータである。データベース３００は、天候情報３００ａ、および設定情報３００ｂを記憶する。
【００１５】
天候情報３００ａは、例えば外気温度、外気湿度、および雲量などの、天候に係わる情報である。これらの情報は、オフィスビルの外部に設けられた各種のセンサから取得したり、気象サーバ４００からの気象データを処理することで得られる。設定情報３００ｂは、例えば場所（エリア）ごとに求められた出入口との距離を示すデータであり、ビルの設計データ等から予め算出される。
【００１６】
画像センサ３は、視野内の空調スペースを撮影して画像データを取得する。画像センサ３は、取得した画像データを処理し、環境情報および人物情報を作成する。環境情報は、制御対象の空間（対象空間）の環境に関する情報であり、例えば、対象空間における照度の分布が挙げられる。
【００１７】
人物情報は、対象空間における人間に関する情報であり、例えば、人の存在または不在（在／不在）、滞在時間、人数、人の行動、人の活動量、および、人の着衣に関する着衣情報などを挙げることができる。
【００１８】
各画像センサにおいて、環境情報および人物情報は、対象空間としての空調スペースごとに計算することができる。あるいは、空調スペースを複数に分割した小領域（エリア）毎に、環境情報および人物情報を計算することもできる。
【００１９】
ビル監視装置５、および表示装置１１は、いずれもプロセッサおよびメモリを備えるコンピュータである。ビル監視装置５は例えばＢＥＭＳとして実現される。また、ビル監視装置５と表示装置１１が一体化されていてもよい。  
表示装置１１は、画像センサ３から取得した環境情報および人物情報、あるいはビル監視装置５から取得した各種の情報を視覚的に表示する。次に、上記構成を基礎として複数の実施形態を説明する。
【００２０】
［第１の実施形態］
図３は、第１の実施形態に係わる端末装置２００の一例を示す図である。快適性指標計算装置としての端末装置２００は、ＣＰＵやＭＰＵ等のプロセッサ２５０と、ＲＯＭ（Read Only Memory）２２０およびＲＡＭ（Random Access Memory）２３０を備えるコンピュータである。端末装置２００は、さらに、ハードディスクドライブ（Hard Disk Drive：ＨＤＤ）などの記憶部２４０、光学メディアドライブ２６０、および、通信部２７０を備える。
【００２１】
ＲＯＭ２２０は、ＢＩＯＳ（Basic Input Output System）やＵＥＦＩ（Unified Extensible Firmware Interface）などの基本プログラム、および各種の設定データ等を記憶する。ＲＡＭ２３０は、記憶部２４０からロードされたプログラムやデータを一時的に記憶する。
【００２２】
光学メディアドライブ２６０は、ＣＤ−ＲＯＭ２８０などの記録媒体に記録されたディジタルデータを読み取る。端末装置２００で実行される各種プログラムは、例えばＣＤ−ＲＯＭ２８０に記録されて頒布される。このＣＤ−ＲＯＭ２８０に格納されたプログラムは光学メディアドライブ２６０により読み取られ、記憶部２４０にインストールされる。
【００２３】
通信部２７０は、通信機能を備え、無線アクセスポイント８やハブ６等との無線通信を制御する。端末装置２００で実行される各種プログラムを、例えば通信部２７０を介してサーバからダウンロードし、記憶部２４０にインストールすることもできる。通信部２７０を介してクラウドサーバから最新のプログラムをダウンロードし、インストール済みのプログラムをアップデートすることもできる。また、端末装置２００は、通信部２７０からビル内ネットワーク５００経由でデータベース３００にアクセスすることができる。
【００２４】
記憶部２４０は、プロセッサ２５０により実行されるプログラム２４０ａに加えて、着衣情報１０７、天候情報２４０ｂ、エリア属性情報１０８、および、天候補正情報１０５を記憶する。
【００２５】
着衣情報１０７は、画像センサ３等の既存設備により撮影された画像データを、画像センサ３自身が解析することにより生成される。このほか、監視カメラの映像をサーバで処理した結果、或いは外部の情報ソース等から取得されたデータであって良い。さらに、赤外線カメラからの熱画像を映像化して着衣情報を取得することもできる。
【００２６】
天候情報２４０ｂは、温度、湿度、雲量などの、気象状態を示す情報である。  
エリア属性情報１０８は、そのエリアにおける人の平均滞在時間や滞在目的といった属性を、個々の空調制御エリアごとに設定し、其々の属性による着衣量補正情報の効果（重み）を係数化した情報である。エリア属性情報１０８は、エリアごとの情報である。
【００２７】
天候補正情報１０５とは、画像センサ３や情報ソースから取得する着衣情報１０７を基準として、当日、当時刻の検出着衣量よりも人の体感温度に見做す着衣量を知るための補正情報である（天候−着衣量補正情報関係特性情報）。
【００２８】
プロセッサ２５０は、ＯＳ（Operating System）および各種のプログラムを実行する。また、プロセッサ２５０は、第１の実施形態に係る処理機能として、着衣情報取得部２５０ａ、天候情報取得部２５０ｂ、補正情報特定部１０６、着衣量特定部１０９、ＰＭＶ計算部１１０、計算時刻管理部１０４、制御指示値特定部１１１、および、制御指示部１１３を備える。
【００２９】
これらの機能ブロックは、記憶部２４０に記憶されたプログラム２４０ａがＲＡＭ２３０にロードされ、当該プログラムの進行に伴ってプロセッサ２５０が計算処理を実行することで生成されるプロセスとして、理解され得る。つまりプログラム２４０ａは、快適性指標計算装置としての端末装置２００を動作させるためのプログラムであって、コンピュータである端末装置２００を、着衣情報取得部２５０ａ、天候情報取得部２５０ｂ、補正情報特定部１０６、着衣量特定部１０９、ＰＭＶ計算部１１０、計算時刻管理部１０４、制御指示値特定部１１１、および、制御指示部１１３として動作させる。
【００３０】
着衣情報取得部２５０ａは、画像センサ３や外部の情報ソースなどから、人の着衣に関する着衣情報を取得する。  
天候情報取得部２５０ｂは、天候情報としての温度、湿度、および雲量の少なくとも１つを取得する。実施形態ではこれらすべての情報が取得されるとして説明するが、これらの情報のうち少なくとも一つを利用する形態も考えられる。  
補正情報特定部１０６は、取得された着衣情報１０７を補正するための補正情報（着衣量補正情報）を、天候情報および天候補正情報１０５に基づいて特定する。この補正情報は、快適性指標の着衣量に係わる情報である。
【００３１】
着衣量特定部１０９は、取得された着衣情報１０７をベースに、天候により決められる補正情報と、各エリアの属性情報１０８とに基づいて、最終着衣量をエリアごとに特定する。実施形態では、状況に応じて修正された着衣情報を、最終着衣量と称する。最終着衣量は、より、真の状態に近い着衣量といえる。
【００３２】
ＰＭＶ計算部１１０は、最終着衣量に基づいて、各空調制御エリアの現在のＰＭＶを計算する。実施形態においては、ＰＭＶ計算に必要とされる、空気温度、相対湿度、平均輻射温度、気流速度、および活動量が別途求められていることを想定する。
【００３３】
計算時刻管理部１０４は、計算開始時間を管理する。時計機能により時間を管理できるほか、前回の終了から所定時間（例えば１０分や１分）を経ったかどうかが分かるタイマ機能を持ってもよい。
【００３４】
制御指示値特定部１１１は、空調機器２に指示するための制御指示値を、上記計算されたＰＭＶに基づいて特定する。  
制御指示部１１３は、空調機器２の空調制御許可情報１１２を上位システム等から取得し、最終的に制御指示値を空調機器２に出力するかしないかを判断し、実行する。つまり制御指示部１１３は、上位システムからの許可が有る場合に、制御指示値を宛先の空調機器２に出力する。制御指示値特定部１１１、制御指示部１１３を備えることにより、端末装置２００は、空調制御装置としての機能も備える。
【００３５】
＜作用＞
図４は、第１の実施形態に係わる端末装置２００の処理手順の一例を示すフローチャートである。図５は、図３に示される機能ブロック間の関係の一例を示す図である。図４において、端末装置２００は、ＰＭＶ計算を実行する時刻になったか否かを判断する（Ｓ２０１）。ＰＭＶ計算時刻であれば（Ｓ２０１でＹＥＳ）、次のステップに進み、計算時刻でなければ（Ｓ２０１でＮＯ）終了となる。
【００３６】
図５の計算時刻管理部１０４は、計算を行うべきか否か管理する機能を有する。例えば、時計機能により時刻で管理してもよいし、前回の終了から所定時間（例えば１０分や１分）を経過したかが分かるタイマ機能を持ってもよい。
【００３７】
システムにプリセットされた計算時刻になれば（Ｓ２０１でＹＥＳ）、端末装置２００は、外気温度１０１、外気湿度１０２、および雲量１０３を情報ソースから取得し（Ｓ２０２〜Ｓ２０４、図５の（ａ）〜（ｃ））、天候情報２４０ｂとして記憶部２４０に記憶する（図３）。これらの情報により、人の着衣量に影響する、現在の天候を判断することができる。
【００３８】
ここで、情報ソースは、例えばＢＡ（ビルディングオートメーション）やＢＥＭＳ、又は気象庁や地方自治体のデータベース等を指す。ここでは、外気温度、外気湿度、雲量の全てではなく、いずれか１つ、あるいは２つを天候判断の材料として取得してもよい。さらに、外気温度、外気湿度、雲量ではなく、「天候」そのものを情報ソースから取得することも考えられる。
【００３９】
外気温度、外気湿度、および雲量を取得すると、端末装置２００は、天候−着衣量補正情報関係特性を表す天候補正情報１０５を参照し（Ｓ２０５）（図５（ｄ））、着衣量補正情報を特定する（Ｓ２０６）。
【００４０】
天候補正情報１０５とは、画像センサ３や情報ソースから取得する着衣情報１０７を基準として、当日、当時刻の検出着衣量よりも人の体感温度に見做す着衣量を特定するための補正情報である（天候−着衣量補正情報関係特性情報）。
【００４１】
例えば、暖房中の室内にいる人の着衣情報が「薄い長袖」（着衣情報は、プログラム上では例えば０〜１の間の数値で表現できる。ここでは「薄い長袖」を０．５とする）として取得できたとする。このとき、外が吹雪で非常に寒い日と、日差しが強く暖かい日とでは、対象ビルに入った人にとっての体感温度は異なる。
【００４２】
外が吹雪で非常に寒い日にビル内に入ると、たとえジャケットやコートを脱いで「薄い長袖」と検知できても、体にはまだ寒気が残っている可能性がある。そこで第１の実施形態では、この時の見なし着衣量は「薄い長袖」よりも若干薄め（例えば、半袖を表す０．４）とする。すなわち、その人は見た目上の服から体温を保つ効果よりも弱い状態にある事実を、見た目より薄めの着衣量と見做すことで表現する。
【００４３】
この補正情報を利用することで、見た目の着衣量だけを頼りにすることなく、その人のシチュエーションを考慮した着衣量（見なし着衣量）を求めることができる。このようにして補正した着衣量をＰＭＶ計算に投入することで、天候による体感温度への影響も考慮して、より快適な空調制御を実現することが可能になる。
【００４４】
補正情報特定部１０６は、着衣量補正情報を例えば式（１）により求める。式（１）に必要な情報は例えば図６と図７から取得することが可能である。  
着衣量補正情報 ＝ Ａ×Ｂ      ・・・  （１）
式（１）のＡ値は、例えば図６の表から求められる。この表は、相対湿度（ＲＨ：Relative Humidity）と温度（Ｔ）とに応じて着衣量補正情報を求めるための値を示す。この表はシステムのデータベース３００や端末装置２００の記憶部２４０に予め記憶される。式（１）のＢ値は、例えば図７の表から求められる。図７のように、例えば雲量に対応付けて着衣量補正情報を修正する。
【００４５】
なお、見た目の着衣量（画像センサ３で取得された着衣情報）を補正するかどうかは、その人が当ビルに滞在する平均時間（訪問者又は内勤者）や、その人の滞在場所は天候による残影響が残しやすいかどうか（出入口や窓の数や距離）等のエリア属性により、最終的に判断する。
【００４６】
例えば、外が吹雪で非常に寒い日に、ビルに入ったばかりの人と、朝からずっとビルの奥にいる人とでは、寒気が残っているかいないかの感じ方が異なる。そこで、着衣量補正情報を特定した後（Ｓ２０６）、端末装置２００は、画像センサ３や情報ソースから着衣情報を取得し（Ｓ２０７）（図５（ｅ））、エリア属性情報１０８を参照したうえで（Ｓ２０８）（図５（ｆ））で、最終着衣量を特定する（Ｓ２０９）。
【００４７】
着衣量特定部１０９は、例えば式（２）により最終着衣量を求める。式（２）に必要な情報は、補正情報特定部１０６で求められた着衣量補正情報と（図５（ｇ））、図８に示されるエリア属性（Ｃ値）から求めることが可能である。  
最終着衣量 ＝ 着衣量（取得値）＋着衣量補正情報×Ｃ      ・・・  （２）
最終着衣量が特定されると（Ｓ２０９）、端末装置２００は、其々の空調制御エリアのＰＭＶを計算する（Ｓ２１０）。さらに端末装置２００は、得られたＰＭＶに基づいて、各空調制御エリアの空調機器への制御指示値を特定する（Ｓ２１１）。制御指示値は、各空調制御エリアのＰＭＶ値をＰＭＶ目標値に到達させるための、空調機器への制御情報である。目標ＰＭＶ値はシステム管理者やビル管理者によって事前に設定された値であってもよいし、運用途中に変更されてもよい。
【００４８】
次に、ＰＭＶ計算部１１０は、各空調制御エリアの現在のＰＭＶ値を計算する。これを受けて制御指示値特定部１１１は、空調機器２に指示するための制御指示値を特定する。制御指示値とは、其々の空調機器２に指示される内容（項目）とその値（量）とのセットである。例えば、空調機器２の設定温度値を指示する場合に、新しい設定温度値を計算することになる。或いは、空調機器２に備わる「モード」（例えば、急冷モードや徐々に冷やすモード…等）を指示する場合、新しい「モード」を決めてもよい。
【００４９】
なお、空調機器２宛てに、最終的な制御指示値を出すかどうかは、空調機器２が制御可能な状態かどうかによる。そこで第１の実施形態では、制御指示値が決められた後（Ｓ２１１）、端末装置２００は、その時点の空調制御許可状態を空調システムから取得し（Ｓ２１２）、空調制御が許可されているか否かを判断する（Ｓ２１３）。
【００５０】
もし、空調制御が許可された状態であれば（Ｓ２１３でＹＥＳ）、端末装置２００は、各空調制御エリアに制御指示値を出力する（Ｓ２１４）。もし、空調制御が許可されていない場合（Ｓ２１３でＮＯ）、そのまま処理を終了する。
【００５１】
なお、空調制御が許可されているか、または許可されていないかに応じて制御指示値を空調機器２に最終的に出力するか否かの判断を、他の外部システム（ビルディングオートメーション、ＢＥＭＳ、空調制御コントローラ等）に任せてもよい。つまり、制御指示値の算出までを端末装置２００で行い、実際の制御を外部システムに委ねることも可能である。また、空調機器２への制御が許可されているか、許可されていないかを、全ての空調機器２（空調システム全体）で一括で判断しても良いし、個別の空調機器２ごとの設定に応じて判断しても良い。空調機器２ごとの設定は、例えば空調機器２ごとに問い合わせることで読み出すことができる。
【００５２】
＜効果＞
以上述べたように第１の実施形態によれば、一般的なビルに設置される設備を活用（流用）し、かつ同一施設内の異なるエリアの差を把握（エリア属性）することにより、各日の各エリアの着衣量を其々推定することが可能になる。更に、推定した着衣量を各エリアのＰＭＶ計算に取り入れることで、個々のエリアにとって最も快適な空調制御が実現可能になる。
【００５３】
カメラ画像を利用する既存の技術では、一般ビル（商業施設や事務所等）に取り入れない赤外線熱カメラや体表温センサの追加設置が必要になり、システムのコストアップが避けられない。
【００５４】
これに対し第１の実施形態では、外部から取得した着衣情報を、その日の天候、各エリアの属性に基づいて補正し、実体に合った着衣量としての最終着衣量を求めることができる。つまり、従来では固定値として取り扱われていた着衣量を、より、実情に即した情報として取り扱うことが可能になる。これにより、各日の各エリアに対して最も適切なＰＭＶを計算することができ、さらに快適な空調制御を実現することが可能になる。
【００５５】
例えば、以下のような効果を得ることができる。  
・季節ごとに固定で設定された着衣量と実際の日々の誤差を補正し、異常気候にも適応できる。  
・一般商業施設にない特殊設備の追加設置不要により、コストアップを避ける。  
・同一施設内において、利用者（エリア）間の差を補正し、よりカスタマイズされた快適性を実現する。  
これらのことから第１の実施形態によれば、着衣量を適切に設定でき、快適性をさらに高めることのできる快適性指標計算装置、プログラムおよび快適性指標計算方法を提供することが可能になる。
［第２の実施形態］
第１の実施形態では、画像センサ３や情報ソースから着衣情報を取得するケースについて説明した。第２の実施形態では、着衣情報を情報ソースから取得できないケースについて説明する。第２の実施形態では、取得された着衣情報１０７を補正するのではなく、天候により、その日、その時刻の基準着衣量（ここでは、室外における着衣量を基準着衣量とする）を最初に求める。その後、情報ソースから取得する各種の情報に基づき、室内の各空調制御エリアの在室者状況を把握し、其々のエリアにおける最終着衣量を特定する。
【００５６】
＜構成＞
図９は、第２の実施形態に係わる端末装置２００の一例を示す機能ブロック図である。図９において図３と共通する部分には同じ符号を付して示し、ここでは異なる部分についてのみ説明する。
【００５７】
第２の実施形態において、記憶部２４０は、プログラム２４０ａ、天候情報２４０ｂ、天候特性情報３０４、パラメータ情報２４０ｃ、および、シーン特性情報３１０を記憶する。
【００５８】
天候特性情報３０４とは、固定的に設定される着衣量起算値から、その日、その時刻の天候情報に基づいて増加、または減少させるべき値を持つ情報である。  
パラメータ情報２４０ｃは、空調スペースにおけるシーンを特徴づける情報である。例えば、エリアごとの活動量、出入口との距離、および滞在時間等が、パラメータ情報に含まれる。  
シーン特性情報３１０は、活動量、出入口との距離、および滞在時間と着衣量との関係を示す情報であり、第２の実施形態において最終着衣量を求めるために参照される。
【００５９】
プロセッサ２５０は、第２の実施形態に係る処理機能として、天候情報取得部２５０ｂ、基準着衣量特定部３０５、パラメータ情報取得部２５０ｃ、着衣量特定部３１１、ＰＭＶ計算部１１０、計算時刻管理部１０４、制御指示値特定部１１１、および、制御指示部１１３を備える。
【００６０】
これらの機能ブロックは、記憶部２４０に記憶されたプログラム２４０ａがＲＡＭ２３０にロードされ、当該プログラムの進行に伴ってプロセッサ２５０が計算処理を実行することで生成されるプロセスとして、理解され得る。つまりプログラム２４０ａは、端末装置２００を動作させるためのプログラムであって、コンピュータである端末装置２００を、天候情報取得部２５０ｂ、基準着衣量特定部３０５、パラメータ情報取得部２５０ｃ、着衣量特定部３１１、ＰＭＶ計算部１１０、計算時刻管理部１０４、制御指示値特定部１１１、および、制御指示部１１３として動作させる。
【００６１】
基準着衣量特定部３０５は、快適性指標の着衣量の基準値を、天候情報２４０ｂに基づいて特定する。ここでは、室外における着衣量の基準値が特定される。  
パラメータ情報取得部２５０ｃは、空調スペースにおけるシーンを特徴づけるパラメータ情報を取得する。
【００６２】
着衣量特定部３１１は、上記特定された着衣量の基準値を、パラメータ情報に基づいて補正して、室内における最終着衣量をエリアごとに特定する。
【００６３】
ＰＭＶ計算部１１０は、着衣量特定部３１１からの最終着衣量に基づいて、各空調制御エリアの現在のＰＭＶ値を計算する。
【００６４】
＜作用＞
図１０、図１１は、第２の実施形態に係わる端末装置２００の処理手順の一例を示すフローチャートである。  図１２は、図９に示される機能ブロック間の関係の一例を示す図である。図１０において、端末装置２００は、基準着衣量の特定を実行する時刻か否かを判断する（Ｓ４０１）。計算時刻でなければ（Ｓ４０１でＮＯ）、処理手順は図１１のステップＳ４０７に進む。計算時刻であれば（Ｓ４０１でＹＥＳ）、端末装置２００は、外気温度１０１、外気湿度１０２、および雲量１０３を情報ソースから取得し（Ｓ４０２〜Ｓ４０４、図１２の（ａ）〜（ｃ））、天候情報２４０ｂとして記憶部２４０に記憶する（図９）。
【００６５】
次に端末装置２００は、天候特性情報３０４を参照して（Ｓ４０５）（図１２（ｄ））、基準着衣量を特定し（Ｓ４０６）、記憶部２０４に記憶させる。記憶部２０４に基準着衣量を記憶しておくことで、ＰＭＶ値の計算までタイムラグがあってもよくなる。つまり、ＰＭＶ値を計算するために最終着衣量を求めるときに、記憶部２０４から基準着衣量を読み出せばよい。
【００６６】
天候特性情報３０４とは、固定的に設定される着衣量起算値から、その日、その時刻の天候情報に基づいて増加、または減少させるべき値を持つ情報である。起算値から天候特性情報の値を増加／減少させることで、室外にいる人の平均着衣量を得ることができる。つまり、着衣量起算値は年間を通して利用される（値は例えば０．７）ので、実際にある寒い日や暑い日等、其々の天候に応じて、室外にいる人の平均着衣量はこの起算値に比べてその程度の値となるかを補正するための係数が、天候特性情報３０４である。
【００６７】
基準着衣量特定部３０５は、情報ソースから取得した外気温度１０１、外気湿度１０２、および雲量１０３を用いて、天候特性情報３０４を参照し、例えば式（３）により基準着衣量を求める。
【００６８】
基準着衣量 ＝ 着衣量起算値（システム固定値）＋Ｄ×Ｅ      ・・・  （３）
式（３）のＤ値は、例えば図１３の表から求められる。この表は、相対湿度（ＲＨ：Relative Humidity）と温度（Ｔ）とに応じて基準着衣量の補正情報を求めるための表である。この表はシステムのデータベース３００や端末装置２００の記憶部２４０に予め記憶される。式（３）のＥ値は、例えば図１４の表から求められる。図１４のように、例えば雲量に対応付けて着衣量起算値を修正する。次に、処理手順は図１１のステップＳ４０７に進む。
【００６９】
図１１において、端末装置２００は、ＰＭＶ計算を実行する時刻になったか否かを判断する（Ｓ４０６）。ＰＭＶ計算時刻であれば（Ｓ４０６でＹＥＳ）、次のステップに進み、計算時刻でなければ（Ｓ４０６でＮＯ）終了となる。
【００７０】
計算時刻管理部１０４は其々の計算を行うべきか否かを、時計機能、あるいはタイマ機能等により管理する。なお、基準着衣量の計算時刻とＰＭＶの計算時刻とを合わせる必要は無く、計算処理の頻度が異なってもよい。
【００７１】
例えば、基準着衣量は、その日の天候での室外における平均着衣量を示す。よって、一日のなかで天候が激しく変化しない限り、処理頻度を下げて、早・昼・晩の其々に１回や、早朝のみ１回等にしてもよい。一方、ＰＭＶ計算は空調制御のための処理であることから、室内の環境や利用状況に応じて、比較的短い周期で実行される。例えば、１０分間隔や１分間隔で処理を実行してもよい。
【００７２】
ＰＭＶの計算時刻であれば（Ｓ４０７でＹＥＳ）、端末装置２００は、情報ソースから人間の活動量、滞在時間、出入口との距離、および、基準着衣量を取得する（Ｓ４０８〜Ｓ４１１）（図１２の（ｅ）〜（ｈ））。
【００７３】
活動量３０７および滞在時間３０８は、画像センサ３等の既存設備により撮影された画像データを、画像センサ３自身が解析することにより生成される。このほか、監視カメラの映像をサーバで処理した結果、或いは外部の情報ソース等から取得されたデータであって良い。活動量は、加速度センサが内蔵される携帯電話や活動量計等のポータブルデバイスから取得されてもよい。
【００７４】
さらに、端末装置２００は、取得した情報を用いて、活動量−滞在時間−出入口との距離−着衣量の関係を示すシーン特性情報３１０を更に参照し（Ｓ４１２）（図１２（ｉ））、最終着衣量を求める（Ｓ４１３）。
【００７５】
出入口との距離３０９は、活動量３０７や滞在時間３０８等の情報に付属された位置情報を利用してもよい。或いは、活動量３０７や滞在時間３０８がゲートウェイ経由又はデータ処理サーバから取得されたものであれば、ゲートウェイや処理サーバ自身の位置が分かるような識別情報（例えば、ＩＰアドレス）を利用して、出入口との距離を換算することで得られてもよい。
【００７６】
シーン特性情報３１０とは、基準着衣量（その日、その時刻における室外にいる人の着衣量）から、各室内の空調制御エリアにおいて、室外の環境と比べて室内にいる時の着衣量の差分を補正する係数である。例えば、暖房中に、吹雪で非常に寒い日の基準着衣量を「厚いコート」（着衣量は、プログラム上では例えば０〜１の間の数値で表現できる。ここでは「厚いコート」を１．０とする）としたとする。ビル出入口から離れた奥の部屋に長く滞在し、かつデスクワーク程度の活動量しかない人は、内勤者であると想定できるので、室外の基準着衣量から自ら着衣量を調整する可能性が高い。よって、その場所の滞在者の最終着衣量を「薄い長袖」に補正し、プログラム上で最終着衣量を０．７まで見直す。
【００７７】
逆に、ビル出入口から近い場所であり、滞在時間も短く、かつ歩行程度の活動量を取る場所とは、ビルの受付前やロビー通路等の可能性が高い。そのような場所にいる人は短時間でしか通過しないケースが多いと想定されるので、室外の着衣量からわざわざ調整しない可能性が高く、そのような空調エリアの最終着衣量を室外同様の１．０とする。
【００７８】
この補正情報を利用することで、其々の空調制御エリアにいる人間のシチュエーションを考慮し、実際の着衣量を推定することができる。このようにして特定された最終着衣量をＰＭＶ計算に投入することで、より、カスタマイズされた、快適な空調制御を実現することが可能になる。
【００７９】
着衣量特定部３１１は、滞在者のシチュエーションを判断するための情報を情報ソースから取得し、シーン特性情報３１０をある１つの値に決めてから、基準着衣量と合わせて各空調制御エリアの最終着衣量を特定する。
【００８０】
着衣量特定部３１１は、例えば、式（４）によって最終着衣量を求める。式（４）に必要な情報は例えば図１５と図１６から取得することが可能である。
【００８１】
最終着衣量 ＝ 基準着衣量＋Ｆ      ・・・  （４）
図１５に示されるように、活動量（ｍｅｔ）と出入口との距離に対応付けて例えば６通りのシーンを想定し、図１６のように、シーン（１）〜（６）と、エリアへの滞在時間（秒）とを対応付けて、基準着衣量から最終着衣量を導出するための係数（Ｆ値）を得る。
【００８２】
また、滞在者のシチュエーションを判断するための情報として、活動量と滞在時間と出入口との距離の全てに限らず、その中のどれか１つ又は２つだけにしてもよい。それ以外に、室内にいる人間のシチュエーションと関連した情報であればどのような情報でもよい。  
最終着衣量が得られれば、端末装置２００は、第１の実施形態と同様の手順により各エリアのＰＭＶ、制御指示値を算出し、上位システムからの許可が有れば、各エリアの空調機器に制御指示値を出力する（Ｓ４１４、Ｓ４１５、Ｓ４１６、Ｓ４１７、Ｓ４１８）。
【００８３】
＜効果＞
以上説明したようにこの実施形態では、着衣情報あるいは着衣量を直接的に取得できないケースにおいて、その他の容易に取得可能な情報（外気温度、外気湿度、雲量、活動量、滞在時間、出入口との距離など）を利用し、最終着衣量を推定し、ＰＭＶ計算に利用するようにしている。
【００８４】
既存の技術では、各日の天候又は室温に応じて平均着衣量を推定することは可能であるが、同一施設内の異なるエリアの着衣量の差を知ることができない。このため、個別エリアの快適性誤差を生じるリスクを回避できない。
【００８５】
これに対し第２の実施形態によれば、気候情報、エリアのシーン特性などを考慮して、端末装置２００において着衣量を特定することができる。従って、着衣量を適切に設定でき、快適性をさらに高めた快適性指標計算装置、プログラムおよび快適性指標計算方法を提供することが可能となる。
【００８６】
第１の実施形態、または第２の実施形態のいずれによっても、各空調制御エリアに対して、カスタマイズした着衣量を求めることができ、場所ごとに、シチュエーションに応じた最適な快適空調制御を提供することが可能になる。
【００８７】
なお、この発明は上記実施の形態に限定されるものではない。例えば各実施形態では、快適性指標計算装置としての機能を有する端末装置２００に、空調制御装置としての機能も実装する例を示した。これに代えて、表示装置１１、またはビル監視装置５のいずれかに、快適性指標計算装置の機能と空調制御装置の機能とを実装しても良い。あるいは、快適性指標計算装置としての機能と、空調制御装置としての機能とを別の装置に実装しても良い。さらには、快適性指標計算装置の機能および／または空調制御装置の機能をクラウドコンピューティングシステムに委託することも可能である。
【００８８】
また、例えばビル監視装置５に、空調制御システムとしての機能を実装することもできる。つまり、空調機器への制御指示値を空調機器に与えて制御する制御指示部１１３を、ビル監視装置５の機能として実装し、空調制御装置としての端末装置２００で計算された制御指示値をビル監視装置５に渡すことで、空調機器の個別制御の可能な空調制御システムを実現できる。
【００８９】
また、上記各実施形態では、画像センサ３が、照明機器１及び空調機器２と信号線Ｌにより例えばデイジーチェーンまたはカスケード状に接続されているが、これに限らず、複数の画像センサだけで有線又は無線のＬＡＮネットワークを構成し、画像センサで取得した各種データをＬＡＮネットワークを経由し、ゲートウェイを介してデータベース３００に伝送するようにしてもよい。  
この他、各テーブルに示した数値などをシステム要請に応じて適宜変更することももちろん可能である。
【００９０】
コンピュータに関連して用いられる「プロセッサ」という用語は、例えばＣＰＵ、ＭＰＵ、ＧＰＵ、或いは、ＡＳＩＣ（Application Specific Integrated Circuit）、ＳＰＬＤ（Simple Programmable Logic Device）、ＣＰＬＤ（Complex Programmable Logic Device）、またはＦＰＧＡ等の回路と理解され得る。
【００９１】
プロセッサは、メモリに記憶されたプログラムを読み出し実行することで、プログラムに基づく特有の機能を実現する。また、メモリに代えて、プロセッサの回路内にプログラムを直接組み込むよう構成することも可能である。このケースでは、プロセッサは回路内に組み込まれたプログラムを読み出し実行することでその機能を実現する。
【００９２】
本発明のいくつかの実施形態を説明したが、これらの実施形態は例として提示するものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９３】
１…照明機器、２…空調機器、３…画像センサ、５…ビル監視装置、６…ハブ、８…無線アクセスポイント、１１…表示装置、７１，７２…ゲートウェイ、１０１…外気温度、１０２…外気湿度、１０３…雲量、１０４…計算時刻管理部、１０５…天候補正情報、１０６…補正情報特定部、１０７…着衣情報、１０８…エリア属性情報、１０９…着衣量特定部、１１０…ＰＭＶ計算部、１１１…制御指示値特定部、１１２…空調制御許可情報、１１３…制御指示部、２００…端末装置、２０４…記憶部、２２０…ＲＯＭ、２３０…ＲＡＭ、２４０…記憶部、２４０ａ…プログラム、２４０ｂ…天候情報、２４０ｃ…パラメータ情報、２５０…プロセッサ、２５０ａ…着衣情報取得部、２５０ｂ…天候情報取得部、２５０ｃ…パラメータ情報取得部、２６０…光学メディアドライブ、２７０…通信部、３００…データベース、３００ａ…天候情報、３００ｂ…設定情報、３０４…天候特性情報、３０５…基準着衣量特定部、３０７…活動量、３０８…滞在時間、３０９…出入口との距離情報、３１０…シーン特性情報、３１１…着衣量特定部、４００…気象サーバ、５００…ビル内ネットワーク。
【図１】
2019194508.tif 000003
【図２】
2019194508.tif 000004
【図３】
2019194508.tif 000005
【図４】
2019194508.tif 000006
【図５】
2019194508.tif 000007
【図６】
2019194508.tif 000008
【図７】
2019194508.tif 000009
【図８】
2019194508.tif 000010
【図９】
2019194508.tif 000011
【図１０】
2019194508.tif 000012
【図１１】
2019194508.tif 000013
【図１２】
2019194508.tif 000014
【図１３】
2019194508.tif 000015
【図１４】
2019194508.tif 000016
【図１５】
2019194508.tif 000017
【図１６】
2019194508.tif 000018